【事件の表示】
　平成　７年特許願第　２６４３７号「液晶表示装置及びその製造方法」拒絶査定に対する審判事件［平成　８年　８月３０日出願公開、特開平　８−２２０５１８］について、次のとおり審決する。
【結　論】
　本件審判の請求は、成り立たない。
【理　由】
１．本願発明
　本願は平成７年２月１５日に出願されたものであって、その請求項１〜６に係る発明は、平成１３年２月１日付け手続補正で補正された明細書および図面の記載からみて、その特許請求の範囲の請求項１〜６に記載された事項により特定されるものであるところ、請求項５に係る発明は、次のとおりである。
「【請求項５】
　表示画素が走査信号電極，映像信号電極，画素電極，共通電極及びトランジスタ素子により構成され、液晶の配向膜が絶縁層を介して形成された基板と、配向膜を形成し前記基板と対向して配置した他の基板と、前記基板及び他の基板により挟持された液晶層とを有し、前記画素電極及び共通電極は前記液晶層に対し前記基板と概ね平行な電界を印加するように構成され、前記走査信号電極及び映像信号電極は表示画素の外部の制御手段と接続されており、前記液晶層の光学特性を変化させる偏光手段を備えた液晶表示装置の製造方法において、
　有機高分子を含む溶液を作成する工程と、
　前記溶液を用いて回転塗布法により有機高分子を含む絶縁膜を形成する工程を含むことを特徴とする液晶表示装置の製造方法。」
　
２．刊行物記載の発明
　原査定の拒絶の理由に引用された、この出願前公知の刊行物である特開平６−１６０８７８号公報（以下「引用例１」という。）には、下記の記載が認められる。
「【請求項７】
　少なくとも一方が透明な一対の基板、該基板間に挾持され、配向した誘電率異方性と屈折率異方性とを有する液晶組成物層，偏光手段，マトリクス状に配置された複数の画素、各画素ごとに備えられ、画素電極，信号配線電極及び走査配線電極に接続された薄膜トランジスタ素子、該薄膜トランジスタ素子とは離接した共通電極、前記画素の光透過率或いは反射率を変化させる電圧信号波形を印加する手段とを有する液晶表示装置において、
　前記画素電極と前記信号配線電極は、電圧信号波形を印加する手段により前記画素電極と前記共通電極との間に、基板面にほぼ平行に電界を印加し、電界の強度に応じ前記画素の光透過率或いは反射率を変化させるように配置され、
　前記薄膜トランジスタ素子及び前記液晶組成物層に直接接する有機絶縁層が備えられていることを特徴とする液晶表示装置。」（特許請求の範囲請求項７）、
「【００４８】
〔実施例１〕基板としては厚みが１.１mm で表面を研磨した透明なガラス基板を２枚用いる。これらの基板間に・・・ネマチック液晶組成物を挟む。基板表面に塗布したポリイミド系配向膜をラビング処理して、・・・２枚の偏光板〔日東電工社製G1220DU〕でパネルを挾み、一方の偏光板の偏光透過軸をラビング方向にほぼ平行・・・とし、他方をそれに直交・・・とした。これにより、ノーマリクローズ特性を得た。・・・
【００５３】
　画素数は・・・また薄膜トランジスタを有する基板に相対向する基板上にストライプ状のＲ，Ｇ，Ｂ３色のカラーフィルタを備えた。カラーフィルタの上には表面を平坦化する透明樹脂を積層した。透明樹脂の材料としてはエポキシ樹脂を用いた。更に、この透明樹脂上ポリイミド系の配向制御膜を塗布した。パネルには駆動回路が接続されている。本実施例の駆動回路システムの構成を図８に示す。・・・
【００５５】
〔実施例２〕本実施例では実施例１で対抗基板側に配置し走査電極を同一基板側に配置した。他の構成は実施例１と同一である。・・・
【００６５】
〔実施例６〕
　本実施例の構成は下記の要件を除けば、実施例１と同一である。
【００６６】
　薄膜トランジスタを保護する保護絶縁膜１５（図２（ｂ））を窒化シリコンからエポキシ樹脂からなる有機絶縁層に交換し、その上を直接ラビング処理し、有機絶縁層に保護膜と液晶分子配向制御膜の両方の機能を持たせた。傾き角は0.5 度である。・・・
【００６８】
〔実施例７〕実施例６で保護膜に用いたエポキシ樹脂を同様に有機絶縁層となるポリイミドに変えた。」
　又、【図面の簡単な説明】の欄を参酌すれば、図４には、薄膜トランジスタにおいて画素電極（ソース電極），共通電極，走査電極，信号電極（ドレイン電極）をいずれも一方の基板上に配置し、それらを保護絶縁膜１５で覆った本発明の一実施例が示され、図８には、信号電極２３及び走査電極２４がパネルの外部の信号電極駆動回路２１及び走査電極駆動回路２２に各々接続された液晶表示駆動回路システムが示されている。
　
　これらによれば、引用例１には、「マトリクス状に配置された複数の画素、各画素ごとに備えられ、画素電極，信号配線電極及び走査配線電極に接続された薄膜トランジスタ素子、該薄膜トランジスタ素子とは離接した共通電極とを有する基板、表面に配向制御膜を塗布した対向基板、該基板間に挾持される液晶組成物層、パネルを挟む２枚の偏光板を備え、前記画素電極と前記信号配線電極は、電圧信号波形を印加する手段により前記画素電極と前記共通電極との間に基板面にほぼ平行に電界を印加するものであり、前記信号配線電極及び走査配線電極がパネルの外部の信号電極駆動回路及び走査電極駆動回路に各々接続された液晶表示装置の製造方法において、前記基板上に前記薄膜トランジスタ素子に直接接する有機絶縁層となるエポキシ樹脂あるいはポリイミドを塗布し、その上を直接ラビング処理し、前記有機絶縁層に保護膜と液晶分子配向制御膜の両方の機能を持たせる液晶表示装置の製造方法。」の発明（以下、「引用発明」という。）が記載されている。
　
３．対比・判断
　本願の請求項５に係る発明（以下、「本願発明」という。）と引用発明とを対比すると、
　引用発明の「画素」、「信号配線電極」、「走査配線電極」、「薄膜トランジスタ素子」、「基板と対向基板」、「液晶組成物層」、「配向制御膜」、「信号電極駆動回路及び走査電極駆動回路」、「有機絶縁層となるエポキシ樹脂あるいはポリイミド」は、
　本願発明の「表示画素」、「映像信号電極」、「走査信号電極」、「トランジスタ素子」、「基板と対向して配置した他の基板」、「液晶層」、「配向膜」、「制御手段」、「有機高分子を含む絶縁膜」に各々相当し、引用発明の「パネルを挟む２枚の偏光板」は、液晶層の光学特性を変化させる偏光手段であり、引用発明の「パネルの外部」は、表示画素の外部であることは明らかである。また、引用発明において、有機絶縁層の上を直接ラビング処理し、保護膜と液晶分子配向制御膜の両方の機能を持たせたものは、液晶の配向膜が絶縁層を介して形成されたものに相当する。（仮に、本願発明において、「配向膜が絶縁層を介して形成された」が配向膜と絶縁膜が別体のものを意味するとしても、両者を別体に形成することは周知の事項である。）
　よって、両者は、
「表示画素が走査信号電極，映像信号電極，画素電極，共通電極及びトランジスタ素子により構成され、液晶の配向膜が絶縁層を介して形成された基板と、配向膜を形成し前記基板と対向して配置した他の基板と、前記基板及び他の基板により挟持された液晶層とを有し、前記画素電極及び共通電極は前記液晶層に対し前記基板と概ね平行な電界を印加するように構成され、前記走査信号電極及び映像信号電極は表示画素の外部の制御手段と接続されており、前記液晶層の光学特性を変化させる偏光手段を備えた液晶表示装置の製造方法において、有機高分子を含む絶縁膜を形成する工程を含む液晶表示装置の製造方法。」で一致し、下記の点で相違する。
（相違点）　本願発明は、有機高分子を含む溶液を作成する工程と、前記溶液を用いて回転塗布法により絶縁膜を形成する工程を含むのに対し、引用発明は、有機高分子を含む絶縁膜を形成する工程を含むものの、その具体的な方法が記載されていない点。
　
　上記相違点に付き検討する。
　原査定の拒絶理由に引用された特開平７−２０４８７号公報に、表面の平坦性を確保するためのアクリル樹脂あるいはエポキシ樹脂をスピンコート法あるいはロールコート法、または転写印刷法により塗布することが記載されている（【００１８】参照。）ように、液晶表示素子において、絶縁性の平坦化膜をスピンコート法（回転塗布法）で塗布することは、従来周知である。また一般に、アクリル樹脂、エポキシ樹脂のような有機高分子樹脂を回転塗布するのに、あらかじめ有機高分子を含む溶液を作製することは周知慣用手段である。
　してみると、本願発明は、引用発明において、有機絶縁層となるエポキシ樹脂あるいはポリイミドを塗布するのに、上記従来周知の手段を用いることにより、当業者が容易に想到し得たものである。
　
４．むすび
　したがって、本願発明は、引用発明及び従来周知の技術に基づいて当業者が容易に発明をすることができたものであるから、特許法第２９条第２項の規定により特許を受けることができない。
　よって、結論のとおり審決する。